(57)【要約】      （修正有）【課題】何時でも何処でも使用できるように携帯性を向上させると共に、使用後には、人の目に触れずに廃棄でき、分別等の廃棄方法を気にせずにすみ、処分に困らない手離れの良さを追及した射精促進器具を提供する。【解決手段】筒体の長手方向中心に陰茎挿入穴２が穿設された射精促進器具１であって、前記筒体が、グルコマンナン、ゲル力を有する水溶性多糖類及び水分を含有して一体に形成され、使用後に、水洗便所に流して廃棄できる構成を採用した射精促進器具である。【選択図】図１
2014151035.tif 000002
【特許請求の範囲】
【請求項１】
筒体の長手方向中心に陰茎挿入穴が穿設された射精促進器具であって、
前記筒体が、グルコマンナン、ゲル力を有する水溶性多糖類及び水分を含有して一体に形成され、
使用後に、水洗便所に流して廃棄できる構成であることを特徴とする射精促進器具。
【請求項２】
筒体が、水溶性結着剤を含有することを特徴とする請求項１に記載の射精促進器具。
【請求項３】
水洗便所に流して廃棄した際に、筒体の保形性が崩壊する構成であることを特徴とする請求項１又は２に記載の射精促進器具。
【請求項４】
ゲル化力を有する水溶性多糖類が、寒天、ジェランガム、カードラン、カラギナン、ファーセレラン、ローカストビーンガム、タラガム、グアーガム、キサンタンガム、タマリンドガム、サイリュームシードガム、カシアガム、加工澱粉のなかから選択された１種以上の多糖類であることを特徴とする請求項１〜３のいずれかに記載の射精促進器具。
【請求項５】
グルコマンナンが、平均粒子径が５０μｍ以下の易溶性グルコマンナンであることを特徴とする請求項１〜４のいずれかに記載の射精促進器具。
【請求項６】
水溶性結着剤が、クエン酸、グルコン酸、酒石酸、乳酸、乳酸カルシウム、リン酸二水素ナトリウム、リン酸ニ水素カリウム、グルコノデルタラクトン、コハク酸、フマル酸、リンゴ酸、リン酸、アジピン酸、クエン酸一カリウム、コハク酸一ナトリウム、酢酸、フマル酸一ナトリウム及びフィチン酸から選択された１種以上の塩類であることを特徴とする請求項１〜５のいずれかに記載の射精促進器具。
【請求項７】
グルコマンナンの粉粒体と、ゲル化力を有する水溶性多糖類を水に溶解して膨潤させ、必要に応じてＰＨ調整した後、加熱してゲル化し筒体に成形することを特徴とする射精促進器具の製造方法。
【請求項８】
水に溶解して膨潤させる際、水溶性結着剤を併せ含有させることを特徴とする請求項７に記載の射精促進器具の製造方法。
【発明の詳細な説明】
【技術分野】
【０００１】
本発明は、射精促進器具及びその製造方法に関し、詳しくは、男性器に摩擦刺激を与えて射精を促す器具及びその製造方法に関する。
【背景技術】
【０００２】
従来から、男性器に摩擦刺激を与えて射精を促す器具が種々知られている。
特許文献１には、『長手方向両端面が開口した非円筒状の容器本体と、該容器本体の各開口部に着脱して開閉する２つのキャップと、から成る容器と、前記容器内に収容され、長手方向両端面に夫々設けた各挿入口から内部に並行に延び、且つ互いに連通しない少なくとも２つの挿入空所を有したゲル状樹脂製のコア部材と、前記コア部材と前記容器本体内壁との間に介在するスポンジ層と、を備えた射精促進装置』が開示されている。
【０００３】
この技術は、使い捨てではなく、繰り返し使用することを想定したものであり、使用感を高めることを課題として、構造に種々の工夫を施したものである。
【０００４】
しかし、特許文献１に記載の技術は、構造が複雑であるため比較的高価であり、そのため、使い捨てではなく複数回使用することを想定しており、使用者にとっては使用後の洗浄が面倒であるといった問題があった。更に、装置が比較的大型になるため、持ち運び用途には不向きであるという問題があった。
【０００５】
特許文献２には、『弾辱材質の円筒体（１）の長手方向中心に有底のペニス挿入穴（２）を穿設し、その挿入穴（２）の開口部は切開溝（３）を以て構成し、前記弾辱材質の円筒体（１）の天端面（１ａ）を除く全体を該円筒体（１）と伸縮率が略等しい合成樹脂製袋（４）で包被して成る処理具本体Ａに、ゼリ−（６）を密封した包袋Ｂを添付した精子採取器』が開示されている。
【０００６】
この技術は、使い捨てされることを想定したものであり、使用感を高めることに加え、携帯性の向上を課題として、構造に種々の工夫を施したものである。
【０００７】
しかし、特許文献２に記載の技術は、携帯性を高めてはいるものの、使用後の処理手段について考慮されておらず、廃棄の際に人の目に触れるおそれがあり、単にゴミ箱に捨てるというわけにもいかず、更に、異なる材質を組み合わせて構成されていることから、可燃ゴミ又は資源ゴミといった分別廃棄も煩わしく困難であるという問題があった。
【０００８】
このように、従来から知られている技術では、携帯に不便であり、携帯性が向上された製品であっても、使用後の洗浄又は廃棄といった処分方法の利便性については考慮されておらず、使用者からは、何時でも何処でも使用できるといった気軽さと、使用後の処分に困らないといった手離れの良さとを追求した製品が求められていた。
【先行技術文献】
【特許文献】
【０００９】
【特許文献１】特許第４５９４１７２号
【特許文献２】実用新案登録第３０１６８７４号
【発明の概要】
【発明が解決しようとする課題】
【００１０】
そこで、本発明の課題は、何時でも何処でも使用できるように携帯性を向上させると共
に、使用後には、人の目に触れずに廃棄でき、分別等の廃棄方法を気にせずにすみ、処分に困らない手離れの良さを追及した射精促進器具を提供することにある。
【課題を解決するための手段】
【００１１】
上記本発明の課題は、下記の手段により達成される。
１．筒体の長手方向中心に陰茎挿入穴が穿設された射精促進器具であって、
前記筒体が、グルコマンナン、ゲル力を有する水溶性多糖類及び水分を含有して一体に形成され、
使用後に、水洗便所に流して廃棄できる構成であることを特徴とする射精促進器具。
【００１２】
２．筒体が、水溶性結着剤を含有することを特徴とする前記１に記載の射精促進器具。
【００１３】
３．水洗便所に流して廃棄した際に、筒体の保形性が崩壊する構成であることを特徴とする前記１又は２に記載の射精促進器具。
【００１４】
４．ゲル化力を有する水溶性多糖類が、寒天、ジェランガム、カードラン、カラギナン、ファーセレラン、ローカストビーンガム、タラガム、グアーガム、キサンタンガム、タマリンドガム、サイリュームシードガム、カシアガム、加工澱粉のなかから選択された１種以上の多糖類であることを特徴とする前記１〜３のいずれかに記載の射精促進器具。
【００１５】
５．グルコマンナンが、平均粒子径が５０μｍ以下の易溶性グルコマンナンであることを特徴とする前記１〜４のいずれかに記載の射精促進器具。
【００１６】
６．水溶性結着剤が、クエン酸、グルコン酸、酒石酸、乳酸、乳酸カルシウム、リン酸二水素ナトリウム、リン酸ニ水素カリウム、グルコノデルタラクトン、コハク酸、フマル酸、リンゴ酸、リン酸、アジピン酸、クエン酸一カリウム、コハク酸一ナトリウム、酢酸、フマル酸一ナトリウム及びフィチン酸から選択された１種以上の塩類であることを特徴とする前記１〜５のいずれかに記載の射精促進器具。
【００１７】
７．グルコマンナンの粉粒体と、ゲル化力を有する水溶性多糖類を水に溶解して膨潤させ、必要に応じてＰＨ調整した後、加熱してゲル化し筒体に成形することを特徴とする射精促進器具の製造方法。
【００１８】
８．水に溶解して膨潤させる際、水溶性結着剤を併せ含有させることを特徴とする前記７に記載の射精促進器具の製造方法。
【発明の効果】
【００１９】
前記１に示す発明によれば、筒体が、グルコマンナン、ゲル力を有する水溶性多糖類及び水分を含有して一体に形成されていることから、大部分を水に溶かすことができ、残りも自然分解されるので、使用後には、水洗便所に流すことができる。従って、人の目に触れずに廃棄でき、分別等の廃棄方法を気にせずにすみ、処分に困らない手離れの良い射精促進器具を提供することができる。
また、筒体が、一体に形成されているので、器具の大きさを必要最低限に止めることができ、携帯性を向上され、何時でも何処でも使用できる射精促進器具を提供することができる。
【００２０】
前記２に示す発明によれば、水溶性結着剤を含有させることで、グルコマンナンとゲル化力を有する水溶性多糖類との結合を安定化させることができる。
【００２１】
前記３に示す発明によれば、水洗便所に流して廃棄した際に、筒体の保形性が崩壊する
ので、下水道に与える影響をより小さくできる。
【００２２】
前記４に示す発明によれば、ゲル化力を有する水溶性多糖類は水溶性の材料なので、水洗便所に流して廃棄することが可能であると共に、グルコマンナンをゲル化することができるため、筒体の保形性を維持することができる。
【００２３】
前記５に示す発明によれば、平均粒子径が５０μｍ以下の易溶性グルコマンナンを採用することで、より早く水に溶けて自然分解され易くなる。
【００２４】
前記６に示す発明によれば、特定の水溶性結着剤から選択することで、グルコマンナンとゲル化力を有する水溶性多糖類との結合をより安定化させることができる。
【００２５】
前記７〜８に示す発明によれば、前記１〜６に記載の射精促進器具を製造することができる。尚、加熱温度は、ゲル化に要する適温であればよい。
【図面の簡単な説明】
【００２６】
【図１】射精促進器具の一実施例を表す斜視図
【図２】射精促進器具の包装例を表す説明図
【発明を実施するための形態】
【００２７】
本発明に係る射精促進器具１（以下、単に「射精促進器具１」ともいう。）は、男性器に摩擦刺激を与えて射精を促す器具あって、電動機等の機械要素を搭載せず、手動による使用を前提としたものである。
【００２８】
射精促進器具１は、図１に表わされるように、筒状の形態であり、筒体の長手方向中心に陰茎挿入穴２が穿設された形態である。
図１において、射精促進器具１は、円筒形として表わされているが、この形態に限定されるものではなく、この種の器具の形態として公知公用のものを特別の制限なく採用することができる。
【００２９】
前述のとおり、射精促進器具１の長手方向中心には、陰茎を挿入するための陰茎挿入穴２が穿設されている。
陰茎挿入穴２は、陰茎が挿入可能な形状及び大きさであればよく、この種の器具の陰茎挿入部として公知公用の形態を特別の制限なく採用することができる。
【００３０】
陰茎挿入穴２の内部には、複数の突起を設けることができ、これにより、男性器により強い刺激を与えることができる。突起は、大きさや形状が異なるものを規則的又は不規則的に、若しくは無作為に並べることができる。
また、陰茎挿入穴２の内部には、液溜めを設けることができ、これにより、射精後の精液をここに溜めることができる。
【００３１】
射精促進器具１には、陰茎を陰茎挿入穴２に挿入するための挿入口３が、一端側４に設けられている。
挿入口３は、陰茎挿入穴２の径よりも小径に形成されており、陰茎挿入時には、径が拡開するように形成されている。挿入口３を小径に形成することで、必要に応じて陰茎挿入穴２の内部に塗布された潤滑剤や、射精後の精液が、挿入口３から漏れ出すことを抑制することができる。また、陰茎へ強い刺激を与えるためにも、挿入口３を小径に形成することが好ましい。
【００３２】
陰茎挿入穴２は、他端側５が閉じられた有底の穴である。本発明に係る射精促進器具１
は、この態様に限定されるものではないが、陰茎挿入穴２を有底に形成することで、射精後の精液を陰茎挿入穴２に止まらせることができ、外部への飛散を防止することができる。
【００３３】
射精促進器具１は、その全部が、グルコマンナン、ゲル化力を有する水溶性多糖類及び水分から一体に形成されおり、グルコマンナンは、自然分解される成分であり、このグルコマンナン以外は水溶性材料から構成されている。
尚、水溶性材料とは、水を含む液体に溶ける性質を有する材料であり、水解性や親水性といった材料を広く含む意である。
水溶性材料を採用することにより、水に溶けて分解されるため、射精促進器具１を水洗便所に流して廃棄することが可能であり、人の目に触れずに廃棄でき、分別等の廃棄方法を気にせずにすみ、処分に困らない手離れの良い射精促進器具を提供することができる。
【００３４】
射精促進器具１を形成する材料は、主成分が水溶性材料であると共に、適度の柔軟性を有するものが好ましい。射精促進器具１を形成する材料が、柔軟性を有することで、使用者の手による締め付けの強弱や位置、手の動きの調整等によって、胴部６を自在に変形させることができる。この胴部６の変形に伴って、陰茎挿入穴２の内部も自在に変形させることができるので、陰茎に与えられる刺激を調整することが可能であり、使用感を向上させることができる。
【００３５】
次に、射精促進器具１を形成する材料について説明する。
本発明に係る射精促進器具１の筒体は、（１）グルコマンナン、（２）ゲル化力を有する水溶性多糖類及び（３）水分によって形成されている。
【００３６】
本発明に使用されるグルコマンナンは、針葉樹の細胞壁や蒟蒻芋に多く含まれる水溶性中性多糖で、六炭糖のグルコースとマンノースがおよそ２：３の割合でβ−１,４−結合したものである。枝分かれや修飾はなく、直鎖状である。コンニャクの主成分であるため（乾燥重量で約４０％）、別名コンニャクマンナンとも言われる。
本発明においては、平均粒子径が５０μｍ以下の易溶性グルコマンナンであることが好ましい。
【００３７】
例えば、グルコマンナン含量５０質量％以上のコンニャクマンナンを、５０質量％以上９５質量％以下の含水エタノールに分散したスラリーの状態で高速回転する攪拌翼を備える攪拌機中で平均粒子径が５０μｍ以下になるまで、好ましくは３０μｍ以下になるまで攪拌し、固液分離後乾燥によって易溶性グルコマンナンを得ることができる。
【００３８】
含水エタノールによる脱水処理は、繰り返して実施することができる。このため、原料コンニャクマンナンを前記含水エタノールに分散し、ゆっくり攪拌した後固液分離した後、再度含水エタノールに分散してスラリーとし、高速攪拌機中で攪拌して微粒子化する。
含水エタノールとの接触の繰り返しにより脱水の程度が均一に高まり、微粒子化が容易になる。
【００３９】
このように、分散媒であるエタノールを固液分離して回収すれば、刺激臭のある不純物が含水エタノールに溶出され、本発明に使用することが好ましい材料になる。また、回収した含水エタノールは再蒸留して再使用することができる。
【００４０】
グルコマンナン粒子は、水で膨潤し、逐にはサックが破れてゾルすなわちコロイド溶液を形成する。しかしながら、無水アルコールには全く膨潤しないし、含水エタノールにもエタノール分が高くなると膨潤しない。むしろ、グルコマンナンに含まれている水分がエタノール側に拡散し、脱水される。脱水性能を有する溶媒は他にもヘキサン、アセトンな
どがある。本発明においては、５０質量％以上９５質量％以下、好ましくは７０質量％以上９５質量％以下の含水エタノールが適している。
【００４１】
脱水の程度は、コンニャクマンナンに対する含水エタノールの量比および接触時間による。５０質量％以上の含水エタノールの場合、コンニャクマンナンと含水エタノールの比（ｗｔ／ｖｏｌ）が少なくとも１：５、好ましくは１：１０であり、含水エタノールとの接触時間は合計して３０分以上で充分である。この接触時間には、含水エタノール中の前処理および攪拌機中の高速攪拌時間が含まれる。従って、異なる又は同じ攪拌機を使用し、原料コンニャクマンナンを最初は含水エタノール中でゆっくり攪拌しながら接触させ、固液分離後ケーキを再び含水エタノールに分散し、高速攪拌しても良く、又は最初の含水エタノールとの接触を省き、高速攪拌と同時に必要な接触時間を確保しても良い。微粒子化を伴なわないコンニャクマンナンと含水エタノールとの接触、次いで固液分離したケーキを含水エタノールに再分散し、微粒子化を伴う高速攪拌にかけるのが好ましい。均一な脱水と、不純物の溶出除去が同時に達成される。
【００４２】
微粒子化を伴う高速攪拌は、高速回転する攪拌翼を備える攪拌機を使用して実施される。このタイプの攪拌機は、本来固体と液体、又は互いに混じり合わない液体同士を混合するための装置である。機内の液流の方向により、放射流型と軸流型に分類され、そのいずれでも良いが、剪断力により微粒子化を行うので、攪拌翼の回転数は５，０００ＲＰＭ以上であることが好ましい。具体的な回転数は採用する特定の攪拌機によって変動するが、例えば、特殊機化（株）製のＨＯＭＯＭＩＸＥＲ ＭＡＲＫ ＩＩの場合、１０，０００ＲＰＭで行う。
【００４３】
高速攪拌の継続時間は、微粒化されたコンニャクマンナンの乾燥後の平均粒子径が５０μｍ以下、好ましくは３０μｍ以下に達するのに十分でなければならない。具体的な攪拌時間は、含水エタノールによる予備処理の有無、使用する機種、回転数などによって変動するが、一般に２０分で十分である。
【００４４】
高速攪拌による微粒子化の後、スラリーを濾過して固液分離し、ウエットケーキを１００℃以下の温度で乾燥し、粉砕する。得られる微粒子化グルコマンナンは、従来の易溶性グルコマンナンよりも平均粒子径において半分以下であり、粘度ピーク到達時間において約１／４に短縮され、１５分以下で粘度ピークの約９５％が発現される。
【００４５】
本発明に用いられるグルコマンナンは、筒体材料１００質量部当たり１〜１０質量部であることが好ましく、特に２〜６質量部であることが好ましい。
【００４６】
本発明に用いられるゲル化力を有する水溶性多糖類は、寒天、ジェランガム、カードラン、カラギナン、ファーセレラン、ローカストビーンガム、タラガム、グアーガム、キサンタンガム、タマリンドガム、サイリュームシードガム、カシアガム、加工澱粉のなかから選択された１種以上の多糖類であることが好ましく、中でも、カラギナン、ローカストビーンガム及びキサンタンガムが好ましく用いられる。
この水溶性多糖類は、筒体材料１００質量部当たり１０〜２５質量部であることが好ましく、特に１５〜２０質量部であることが好ましい。
【００４７】
本発明においては、水溶性結着剤を用いることが好ましく、例えば、クエン酸、グルコン酸、酒石酸、乳酸、乳酸カルシウム、リン酸二水素ナトリウム、リン酸ニ水素カリウム、グルコノデルタラクトン、コハク酸、フマル酸、リンゴ酸、リン酸、アジピン酸、クエン酸一カリウム、コハク酸一ナトリウム、酢酸、フマル酸一ナトリウム及びフィチン酸から選択された１種以上の塩類であることが好ましい。
この水溶性結着剤は、必要に応じて、０．０５〜５質量部用いることができるが、前記
水溶性多糖類との合計量で、筒体材料１００質量部当たり１０．０５〜３０質量部、特に１６〜２３質量部であることが好ましい。
【００４８】
本発明に用いられる水分量は、上記グルコマンナン、ゲル化力を有する水溶性多糖類及び水溶性結着剤の残部である。
本発明の筒体を形成する材料として、後述の水溶性の水膨潤性基材、その他の添加剤、特に水溶性食品用添加剤を含有してもよい。
【００４９】
射精促進器具１、特に陰茎挿入穴２には、潤滑ローションや潤滑ゼリーといった潤滑剤を塗布させて使用してもよい。過度の摩擦によって、陰茎を傷つけたり、痛みが生じるのを防ぐためである。
潤滑剤は、１回分が個包装されたものを射精促進器具１に同封させておくか、予め陰茎挿入部２に塗布しておくことができる。
【００５０】
潤滑剤を同封させる場合は、陰茎挿入部２に塗布する手間がかかるが、潤滑剤が乾燥してしまうことを防ぐことができる。
潤滑剤は、液体包装袋、液体パウチ、ペットボトル等の液体を収容するための手段として公知公用のものに、液体状の潤滑剤を封入したものを、射精促進器具１に同封することができる。
【００５１】
同封される潤滑剤は、次のような潤滑ローションであることが好ましい。
「潤滑性及び粘性を有し、人の性器又は舌に直接又は間接的に塗布するための潤滑ローションであって、固体形態であり、水分を含有させると、固体形態が液体形態に変化する構成の潤滑ローション。」
【００５２】
即ち、使用前は、シート状等に形成された固体形態に形成であり、これに水分を含有させることで、固体形態が溶解されて液体形態に変化するので、使用者は、水や唾液といった水分を固体形態の潤滑ローションに含ませることで、従来の潤滑ローションと同様に使用することができるものである。
このため、コンパクトで軽量であり、液漏れの問題がないといった高い携帯性を備えており、使用時の利便性が高く、何時でも何処でも使用できるといった気軽さを備えていると共に、使用後の処分に困らないといった手離れの良さをも追求した潤滑ローションを同封することができる。
【００５３】
この効果について詳述すると、上記の潤滑ローションは、固体形態に形成されているので、液漏れのおそれはなく、コンパクトに形成することができ、簡単な包装で済むため軽量であるなど、高い携帯性を備えている。
【００５４】
また、使用時には、身近にある水や唾液といった水分を固体形態の潤滑ローションに含ませるだけで、従来の潤滑ローションと同様に使用することができるので、使用時の利便性が高く、何時でも何処でも使用できるといった気軽さを備えている。
更にまた、シート状の潤滑ローションは、全て液体形態となって使用することができるので、使用後の処分に困らず手離れが良い。
【００５５】
このシート状の潤滑ローションは、例えば、下記水膨潤性基材を水溶液として得、得られた溶液をキャスティングして液体膜を形成し、得られた液体膜を乾燥させてシート（水分含有量３質量％以下が好ましい。）を得ることで製作できる。
【００５６】
本発明に用いられる水膨潤性基剤として好ましく用いられるのはポリマーであり、含有されるポリマーの少なくとも一つは、水溶性である。特に好ましいのは、プルランである
。適当なプルランは、10,000〜5,000,000の平均分子量を示し得る。特に、プルランと少なくとも一種のポリマーの組合せが含まれる。プルランのポリマーに対する重量比は、1:10〜10:1、特に1:5〜5:1又は1:2〜2:1である。当該比率は、好ましくは2未満:1、特に好ましくは1未満:1、例えば1:2〜1未満:1である。
【００５７】
前記水溶性ポリマーは、アニオン性、カチオン性、双イオン性、非イオン性及び両性ポリマーから選択され得る。これは、天然又は合成ポリマーであってよい。合成ポリマーなる文言により、非天然起源の純粋な合成によるポリマー、特に、エチレン性不飽和モノマーからラジカル重合により、又はポリ重合により製造されたものが含まれる。天然ポリマーなる文言により、後に化学的又は物理的に変性されてもよい天然起源のポリマーが含まれる。キャリア媒質中で、溶解された又は均一に分散された形態で存在するために、水分又はアルコールで十分な溶解能力又は分散能力を示すポリマーが特に好ましい。
【００５８】
適当な非イオン性ポリマーは、以下のモノマーの少なくとも一種から構成されるホモ-又はコポリマーである。：ビニルラクタム、特にビニルピロリドン及びビニルカプロラクタム、ビニルエステル、例えばビニルアセテート、ビニルアルコール、アクリルアミド、メタクリルアミド、アルキルアクリルアミド、ジアルキルアクリルアミド、アルキルメタクリルアミド、ジアルキルメタクリルアミド、ジアルキルアミノアルキルメタクリルアミド、ジアルキルアミノアルキルアクリルアミド、アルキルアクリレート、アルキルメタクリレート、プロピレングリコール又はエチレングリコール、ここで、これらのモノマーのアルキル基は、特に、C1-〜C7-アルキル基、特に好ましくはC1-〜C3-アルキル基である。例えば、ビニルカプロラクタム、ビニルピロリドン又はN-ビニルホルムアミドのホモポリマーが適している。更に適当な合成フィルム形成、非イオン性ポリマーは、例えば、ビニルピロリドンとビニルアセテートからの共重合物、ビニルピロリドン、ビニルアセテート及びビニルプロピオネートからのターポリマー、ポリアクリルアミド；ポリビニルアルコール並びにポリエチレングリコール/ポリプロピレングリコールコポリマーである。特に好ましいのは、ポリビニルピロリドン、ポリビニルカプロラクタム及び少なくとも一種の更なる非イオン性モノマーとのそのコポリマー、特にポリビニルピロリドン/ビニルアセテートコポリマーである。
【００５９】
適当なアニオン性ポリマーは、例えば、酸基を含むモノマー単位からの合成ホモ-又はコポリマーであり、これは、酸基を含まないコモノマーと共重合されても良い。酸基は、特に、-COOH、-SO3H、-OSO3H、-OPO2H及び-OPO3H2から選択され、中でもカルボン酸基が
好ましい。酸基は、中和されていなくてもよく、部分的又は完全に中和されて存在してもよい。好ましくは50〜100%まで、アニオン性、又は中和形態で存在する。中和剤としては、目的のために適した有機又は無機塩基を使用することができる。塩基の例は、アミノアルコール、例えば、アミノメチルプロパノール(AMP)、トリエタノールアミン、モノエタノールアミン又はテトラヒドロキシプロピルエチレンジアミン及びアンモニア、NaOH及びその他である。適当なモノマーは、少なくとも一つの酸基を有する不飽和のラジカル重合可能な化合物であり、特に、カルボキシビニルポリマーである。適当な、酸基を有するモノマーは、例えばアクリル酸、メタクリル酸、クロトン酸、マレイン酸あるいはマレイン酸無水物又はそのモノエステルである。
【００６０】
酸基で置換されていないコモノマーは、例えば、アクリルアミド、メタクリルアミド、アルキル-及びジアルキルアクリルアミド、アルキル-及びジアルキルメタクリルアミド、アルキルアクリレート、アルキルメタクリレート、ビニルカプロラクトン、ビニルピロリドン、ビニルエステル、ビニルアルコール、プロピレングリコール又はエチレングリコール、アミン置換ビニルモノマー、例えば、ジアルキルアミノアルキルアクリレート、ジアルキルアミノアルキルメタクリレート、モノアルキルアミノアルキルアクリレート、及びモノアルキルアミノアルキルメタクリレートであり、ここでこれらのモノマーのアルキル
基は、特にC1-〜C7-アルキル基、特に好ましくはC1-〜C3-アルキル基である。
【００６１】
適当なアニオン性ポリマーは、特に、アクリル酸又はメタクリル酸と、アクリル酸-又はメタクリル酸エステル、アクリルアミド、メタクリルアミド及びビニルピロリドンから選択されるモノマーとのコポリマー、クロトン酸のホモポリマー、並びに、クロトン酸の、ビニルエステル、アクリル酸-又はメタクリル酸エステル、アクリルアミド及びメタクリルアミドから選択されるモノマーとのコポリマーである。適当な天然ポリマーは、例えばシェラックである。好ましいアニオン性ポリマーは、架橋された又は架橋されていないビニルアセテート/クロトン酸コポリマーである。同様に好ましいのは、ビニルメチルエーテルとマレイン酸無水物の部分的にエステル化されたコポリマーである。更に好ましいアニオン性ポリマーは、例えば、アクリル酸、アルキルアクリレート及びN-アルキルアクリルアミドのターポリマー、特にアクリル酸/エチルアクリレート/N-t-ブチルアクリルアミドターポリマー又は、ビニルアセテート、クロトネート及びビニルアルカノエートからのターポリマー、特にビニルアセテート/クロトネート/ビニルネオデカノエートコポリマー；アクリル-又はメタクリル酸及びアクリル-又はメタクリル酸アルキルエステルのコポリマーであり、ここで、アルキル基は、特に、1〜7炭素原子、並びにポリスチロイルスルホネートを有する。
【００６２】
適当な両性又は両イオン性ポリマーは、酸又はアニオン基の他に、更なる官能基として、塩基性又はカチオン基、特に第一級、第二級、第三級又は第四級アミン基を含むものである。両イオン性ポリマーは、第四級アミン基も酸基も示す少なくとも一種のモノマーから構成された、又は、第四級アミン基を示す少なくとも一種の第一のモノマーと、酸基を示す少なくとも一種の第二のモノマーから構成されるポリマーである。両性ポリマーは、例えば、酸基を示す少なくとも一種のモノマー及び、塩基性アミン基を示す少なくとも一種のさらなるモノマーから構成される。これに関する例は、アルキルアクリルアミド（特に、オクチルアクリルアミド）、アルキルアミノアルキルメタクリレート（特に、t-ブチルアミノエチルメタクリレート）、及び、アクリル酸、メタクリル酸又はC1-〜C4-アルキルエステルから選択される2個以上のモノマーであって、当該モノマーの少なくとも一つが酸基を示すモノマーから構成されるコポリマーであり、これらは例えば、販売名称Amphomer(登録商標)又はAmphomer(登録商標)LV-71として入手できる。
【００６３】
更に適当なポリマーは、アクリル酸、メタクリレート、及びメタクリルアミドプロピルトリメチルアンモニウムクロリド(INCI-名称：ポリクオータニウム-47)、アクリルアミドプロピルトリメチルアンモニウムクロリド及びアクリレートのコポリマー、又はアクリルアミド、アクリルアミドプロピルトリメチルアンモニウムクロリド、2-アミドプロピルアクリルアミドスルホネート、及びジメチルアミノプロピルアミンからのコポリマー(INCI名称：ポリクオータニウム-43)。ベタイン基を有するモノマーとのポリマー、例えば、INCI名称メタクリロイルエチルベタイン/アクリレートコポリマーの名称下に知られる、メタクリロイルエチルベタインと、アクリル酸又はその単純なエステルからの2個以上のモノマーとのコポリマーも適している。
【００６４】
適当なカチオン性ポリマーは、特に第４級アミン基を含むものである。カチオン性ポリマーは、ホモ-又はコポリマーであり、ここで、第４級窒素基は、ポリマー鎖又は適当な置換基として、１個以上のモノマーにおいて含まれる。アンモニウム基を含むモノマーは、非カチオン性モノマーと共重合されてもよい。適当なカチオン性モノマーは、少なくとも一つのカチオン基を有する、不飽和の、ラジカル重合可能な化合物、特にアンモニウム置換ビニルモノマー、例えば、トリアルキルメタクリルオキシアルキルアンモニウム、トリアルキルアクリルオキシアルキルアンモニウム、ジアルキルジアリルアンモニウム、及び環状の、カチオン性窒素含有基、例えば、ピリジニウム、イミダゾリウム又は第４級ピロリドンを有する第４級ビニルアンモニウムモノマー、例えば、アルキルビニルイミダゾ
リウム、アルキルビニルピリジニウム又はアルキルビニルピロリドン塩である。かかるモノマーのアルキル基は、特に、低級アルキル基、例えば、C1-〜C7-アルキル基、特に好ましくはC1-〜C3-アルキル基である。アンモニウム基を含むモノマーは、非カチオン性モノマーと共重合されていてもよい。適当なコモノマーは、例えば、アクリルアミド、メタクリルアミド、アルキル-及びジアルキルアクリルアミド、アルキル-及びジアルキルメタクリルアミド、アルキルアクリレート、アルキルメタクリレート、ビニルカプロラクトン、ビニルカプロラクタム、ビニルピロリドン、ビニルエステル、例えば、ビニルアセテート、ビニルアルコール、プロピレングリコール又はエチレングリコールであり、ここで、これらのモノマーのアルキル基は、特に、C1-〜C7-又はC1-〜C3-アルキル基である。
【００６５】
第４級アミン基を有するカチオン性ポリマーは、例えば、CTFAコスメティック・イングレディエント・ディクショナリーに、ポリクオータニウムの名称で記載されているポリマー、例えば、メチルビニルイミダゾリウムクロリド/ビニルピロリドンコポリマー（ポリクオータニウム-16)又は４級化ビニルピロリドン/ジメチルアミノエチルメタクリレートコポリマー(ポリクオータニウム-11)並びに第４級シリコンポリマー又は-オリゴマー、例えば、４級末端基を有するシリコンポリマー（クオーターニウム-80)である。カチオン性ポリマーに関しては、例えば、Gafquat(登録商標)755N及びGafquat(登録商標)734として販売されているビニルピロリドン/ジメチルアミノエチルメタクリレートメトスルフェートコポリマーが適している。さらなるカチオン性ポリマーは、例えば、販売名称LUVIQUAT(登録商標)HM550の名称で販売されている、ポリビニルピロリドンとイミダゾールイミンメトクロリドからのコポリマー、販売名称Merquat(登録商標)Plus3300の名称で販売されている、ジメチルジアリルアンモニウムクロリド、ナトリウムアクリレート及びアクリルアミドからのターポリマー、販売名称Gaffix(登録商標)VC713の名称で販売されている、ビニルピロリドン、ジメチルアミノエチルメタクリレート、及びビニルカプロラクタムのターポリマー、及び販売名称Gafquat(登録商標)HS100として販売されているビニルピロリドン/メタクリルアミドプロピルトリメチルアンモニウムクロリドコポリマーである。
【００６６】
天然ポリマーから誘導される適当なカチオン性ポリマーは、ポリサッカライドのカチオン性誘導体、例えば、セルロース、スターチ又はグアーのカチオン性誘導体である。その他、キトサン及びキトサン誘導体が適している。カチオン性ポリサッカライドは、一般式：Ｇ-Ｏ-Ｂ-Ｎ＋Ｒ１Ｒ２Ｒ３ Ｘ−（式中、Ｇは、無水グルコース基、例えばスターチ-又はセルロース無水グルコースであり；Ｂは二価の結合基、例えば、アルキレン、オキシアルキレン、ポリオキシアルキレン又はヒドロキシアルキレンであり；Ｒ１、Ｒ２及びＲ３は、互いに独立に、各々18個までのC-原子を有するアルキル、アリール、アルキルアリール、アリールアルキル、アルコキシアルキル又はアルコキシアリールであり、Ｒ１、Ｒ２及びＲ３の前記C-原子の合計は、特に最大20個であり；Ｘは通常の対アニオンＸ−、例えば、ハロゲン、アセテート、ホスフェート、ニトレート又はアルキルスルフェートであり、特にクロリドである）を有する。カチオン性セルロースは、名称ポリマーＪＲの下にAmercholから販売されており、INCI名称ポリクオーターニウム-10を有する。この他のカチオン性セルロースは、INCI-名称ポリクオーターニウム-24を有し、Amercholから販売名称ポリマーLM-200として販売されている。適当なカチオン性グアー誘導体は、販売名称Jaguar(登録商標)Rとして販売されており、INCI名称グアーヒドロキシプロピルトリモニウムクロリドを有する。特に好ましいカチオン活性物質は、キトサン、キトサン塩及びキトサン誘導体である。キトサンは、完全に、又は部分的に脱アセチル化されたキチンである。前記キトサンの分子量は、分散した一定幅の範囲に及び得、例えば、20,000〜約500万g/molである。例えば、30,000〜70,000g/molの分子量を有する低分子量のキトサンが適している。しかし、特に100,000g/molを越す分子量であり、200,000〜700,000g/molが特に好ましい。脱アセチル化度は、特に10〜99%、特に好ましくは60〜99%である。好ましいキトサン塩は、名称Kytamer(登録商標)PCとしてFirma Amerchol,USAから販売されているキトソニウムピロリドンカルボキシレートである。含まれるキトサンは、約200,000〜300,0
00g/molの分子量を有し、70〜85%の脱アセチル化度である。キトサン誘導体として、４級化、アルキル化又はヒドロキシアルキル化された誘導体、例えば、ヒドロキシエチル-、ヒドロキシプロピル-、又はヒドロキシブチルキトサンが考慮される。キトサン又はキトサン誘導体は、特に、中和された、又は部分的に中和された形態で存在する。キトサン又はキトサン誘導体に関する中和度は、遊離塩基性基の数に基づき、特に、少なくとも50%、特に好ましくは70〜100%である。中和剤としては、原則、全ての化粧的に適合性のある無機又は有機酸、例えば、蟻酸、リンゴ酸、乳酸、ピロリドンカルボン酸、塩酸等を使用することができ、中でもピロリドンカルボン酸及び乳酸が特に好ましい。
本発明においては、上記水膨潤性基剤の中から、水分の含有によって適度な潤滑性及び粘性を発揮する１又は２以上を選択して用いればよい。
【００６７】
上記の潤滑ローションは、「何時でも何処でも使用できるといった気軽さ」と、「使用後の処分に困らないといった手離れの良さ」とを併せ持つ点で、本発明に係る射精促進器具１と共通するものであり、同封される潤滑剤として好ましい。
【００６８】
反対に、潤滑剤を同封せず、潤滑剤を予め塗布しておく場合は、陰茎挿入部２に塗布する手間がないという利点がある。しかし、予め塗布された潤滑剤が、製造後、販売され、使用するまでの間に乾燥してしまうおそれがある。そこで、射精促進器具１を、防水性・耐湿性を備えた包装体に入れることが好ましい。例えば、アルミニウム積層フィルムなど、防水性・耐湿性等を備えた素材を用いた包装体を採用することが好ましい。
【００６９】
次に、射精促進器具１の包装について説明する。
図２に表わされる射精促進器具１の包装例は、射精促進器具１が径方向に押し潰されて、包装体Ｐに収容される態様である。
【００７０】
前述のとおり、射精促進器具１は、柔軟性を有する材料で形成されることが好ましく、胴部６を径方向に押し潰すことで、射精促進器具１が平らに変形される。
【００７１】
包装体Ｐは、平らに変形された射精促進器具１を収容するため、袋状の形態である。包装体Ｐの底部には、マチを設けることができ、上部には、切り取り用の切り込みを設けることができる。
【００７２】
包装体Ｐは、防水性・耐湿性を備えていることが好ましい。射精促進器具１は、使用感を高めるために、湿潤状態であることが好ましく、この状態を保持するため、更に、潤滑剤が予め陰茎挿入穴２に塗布されている場合は、この潤滑剤が乾燥することを防止・抑制するためである。防水性・耐湿性等を備えた包装体として、例えば、アルミニウム積層フィルムを挙げることができる。
【００７３】
図２に表わされるように、射精促進器具１は、平らに変形された上で包装されることが好ましく、このような態様を採用することによって、携帯性を更に高めることができる。
また、図２においては、包装体Ｐとして袋状の形態を例示したが、かかる態様に限定されず、例えば、箱状や円筒状の包装体に収容するなど、この種の包装方法として公知公用の手段を特別の制限なく採用することができる。
【実施例】
【００７４】
以下に、実施例を挙げる。尚、本発明において、「％」は「質量％」を表わし、「部」は「質量部」を表す。
グルコマンナン３質量部に、ゲル化力を有する水溶性多糖類であるキサンタムガム、カラギーナン及びローカストビーンガムの合計１７質量部と、結着剤（兼、ＰＨ調整剤）であるリン酸二水素カリウム及び乳酸カルシウムの合計２質量部、残部水（７８質量部）と
を用いて、ゲル化された筒体を成形した。
【００７５】
即ち、前記グルコマンナンの粉粒体と前記ゲル化力を有する水溶性多糖類を、前記水に溶解して膨潤させ、前記結着剤加えた上で、適温に加熱しゲル化させ、このゲルによって本発明に係る射精促進器具１の筒体を成形した。
かかる筒体は、水洗便所の流水によって、保形性が崩壊することが判った。
【００７６】
尚、使用したグルコマンナンは、以下のものである。
グルコマンナン含量７５％のコンニャクマンナン（こんにゃく精粉）１０質量部を、９５％含水エタノール１００質量部に加え、均一に分散するようにゆっくり３０分間攪拌した。その後、分散液を一旦濾過し、濾過ケーキを８０％含水エタノール１００質量部に再分散し、分散液を特殊機化（株）製Ｔ．Ｋ．ＨＯＭＯＭＩＸＥＲ ＭＡＲＫ ＩＩ中で回転速度１０，０００ＲＰＭにて２０分間攪拌した。
【００７７】
攪拌終了後分散液を濾過して固液分離し、ケーキを９０℃で２４時間乾燥し、粉砕し、平均粒子径２６μｍの易溶性グルコマンナンを得た。
【符号の説明】
【００７８】
１  射精促進器具
２  陰茎挿入穴
３  挿入口
４  一端側
５  他端側
６  胴部
Ｐ  包装体
【図１】
2014151035.tif 000003
【図２】
2014151035.tif 000004